(57)【要約】【課題】画像形成装置に印刷を実行させることが可能な情報端末において、ユーザが直感的に操作可能な情報端末及びその制御方法、並びにプログラムを提供する。【解決手段】情報端末１００は、撮像手段と、撮像手段により撮像される画像形成装置に実行させる印刷に関する印刷設定をユーザに設定させるための印刷設定画面を表示する表示手段と、撮像手段により画像形成装置とは異なる他の画像形成装置が撮像される場合に、印刷設定画面で設定された印刷設定のうち、他の画像形成装置に対応していない印刷設定をユーザに通知するための情報を表示するように表示手段を制御する制御手段とを備える。【選択図】図９
2013254244.tif 000002
【特許請求の範囲】
【請求項１】
撮像手段と、
前記撮像手段により撮像される画像形成装置に実行させる印刷に関する印刷設定をユーザに設定させるための印刷設定画面を表示する表示手段と、
前記撮像手段により前記画像形成装置とは異なる他の画像形成装置が撮像される場合に、前記印刷設定画面で設定された印刷設定のうち、前記他の画像形成装置に対応していない印刷設定をユーザに通知するための情報を表示するように前記表示手段を制御する制御手段とを備えることを特徴とする情報端末。
【請求項２】
前記撮像手段により撮像される画像形成装置を特定するための識別情報を取得する第１の取得手段を更に備え、
前記表示手段は、前記識別情報に基づいて前記撮像手段により撮像される画像形成装置に対応する印刷設定画面を表示することを特徴とする請求項１に記載の情報端末。
【請求項３】
前記画像形成装置には識別画像が付加されていて、
前記第１の取得手段は、前記撮像手段によって撮像される前記識別画像から前記識別情報を取得することを特徴とする請求項２に記載の情報端末。
【請求項４】
前記他の画像形成装置が対応可能な印刷設定を示す印刷設定対応情報を取得する第２の取得手段と、
前記印刷設定対応情報に基づいて、前記印刷設定画面で設定された印刷設定のうち、前記他の画像形成装置に対応していない印刷設定があるか否かを判定する判定手段とを更に備え、
前記制御手段は、前記判定手段によって前記他の画像形成装置に対応していない印刷設定があると判定される場合に、前記他の画像形成装置に対応していない印刷設定をユーザに通知するための情報を表示するように前記表示手段を制御することを特徴とする請求項１乃至３のいずれか１項に記載の情報端末。
【請求項５】
前記第２の取得手段は、前記他の画像形成装置から前記印刷設定対応情報を取得することを特徴とする請求項４に記載の情報端末。
【請求項６】
前記印刷設定に基づく印刷要求を、前記撮像手段により撮像される画像形成装置に送信する送信手段を更に備えることを特徴とする請求項１乃至５のいずれか１項に記載の情報端末。
【請求項７】
前記表示手段は、前記印刷設定に基づく印刷のプレビュー画像を更に表示することを特徴とする請求項１乃至６のいずれか１項に記載の情報端末。
【請求項８】
前記表示手段は、前記撮像手段により撮像される画像形成装置から受信したプレビュー画像を表示することを特徴とする請求項７に記載の情報端末。
【請求項９】
撮像手段を備える情報端末の制御方法であって、
前記撮像手段により撮像される画像形成装置に実行させる印刷に関する印刷設定をユーザに設定させるための印刷設定画面を表示する表示ステップと、
前記撮像手段により前記画像形成装置とは異なる他の画像形成装置が撮像される場合に、前記印刷設定画面で設定された印刷設定のうち、前記他の画像形成装置に対応していない印刷設定をユーザに通知するための情報を表示するように制御する制御ステップとを有することを特徴とする情報端末の制御方法。
【請求項１０】
請求項９に記載の情報端末の制御方法をコンピュータに実行させるためのプログラム。
【発明の詳細な説明】
【技術分野】
【０００１】
本発明は、情報端末及びその制御方法、並びにプログラムに関する。
【背景技術】
【０００２】
従来より、画像形成装置のパネルに表示されるユーザインタフェースによって印刷ジョブを確認し、その印刷ジョブの実行を他の画像形成装置に要求することで、その画像形成装置によって印刷を行うことができるようになっている。
【０００３】
また、画像形成装置の状態を確認する場合は、ＰＣ端末などからネットワーク経由で画像形成装置にアクセスし、その状態を取得することができる。
【０００４】
さらに、仮想現実（ＡＲ：Augment Reality）技術を利用し、タブレット端末のカメラを使って画像形成装置を撮像し、画像形成装置の画像に別の情報の画像を合成して表示する方法が提案されている（例えば、特許文献１参照）。
【先行技術文献】
【特許文献】
【０００５】
【特許文献１】特開２００５−１００１３４号公報
【発明の概要】
【発明が解決しようとする課題】
【０００６】
しかしながら、画像形成装置で印刷設定中の印刷ジョブの実行、または実行中の印刷ジョブを、他の画像形成装置で行う場合に、ユーザインタフェースに表示される画像形成装置がどこにあるかを予め知っておく必要がある。
【０００７】
また、どのような機能持っているかをユーザが判断して選択する必要があり、ユーザにとって不便であった。
【０００８】
さらに、特許文献１に提案された方法では、ステータス情報を表示するだけであり、印刷ジョブ操作に関する解決手段は提案されていない。
【０００９】
本発明の目的は、画像形成装置に印刷を実行させることが可能な情報端末において、ユーザが直感的に操作可能な情報端末及びその制御方法、並びにプログラムを提供することにある。
【課題を解決するための手段】
【００１０】
上記目的を達成するために、請求項１の情報端末は、撮像手段と、前記撮像手段により撮像される画像形成装置に実行させる印刷に関する印刷設定をユーザに設定させるための印刷設定画面を表示する表示手段と、前記撮像手段により前記画像形成装置とは異なる他の画像形成装置が撮像される場合に、前記印刷設定画面で設定された印刷設定のうち、前記他の画像形成装置に対応していない印刷設定をユーザに通知するための情報を表示するように前記表示手段を制御する制御手段とを備えることを特徴とする。
【発明の効果】
【００１１】
本発明によれば、画像形成装置に印刷を実行させることが可能な情報端末において、ユーザが直感的に操作可能な情報端末及びその制御方法、並びにプログラムを提供する。
【図面の簡単な説明】
【００１２】
【図１】本発明の実施の形態に係る画像形成システムの概略構成を示す図である。
【図２】図１における情報端末の概略構成を示す図である。
【図３】図１における画像形成装置の概略構成を示す図である。
【図４】図２におけるＣＰＵにより実行される特定処理の手順を示すフローチャートである。
【図５】図１におけるサーバにより実行されるデバイス情報送信処理の手順を示すフローチャートである。
【図６】図１における画像形成装置に描かれた識別マーカを示す図である。
【図７】図２における表示部に表示された合成画像例を示す図である。
【図８】図５，６の処理において用いられたデータフォーマットを示す図である。
【図９】図２におけるＣＰＵにより実行される印刷設定処理の手順を示すフローチャートである。
【図１０】図３におけるＣＰＵにより実行される印刷処理の手順を示すフローチャートである。
【図１１】撮像対象となる画像形成装置の一例を示す図である。
【図１２】図１１における撮像領域が表示部に表示された例を示す図である。
【図１３】撮像対象となる画像形成装置の一例を示す図である。
【図１４】図１３における撮像領域が表示部に表示された例を示す図である。
【図１５】図９におけるステップＳ１２１４で取得した印刷設定対応情報のデータフォーマットを示す図である。
【図１６】図２におけるＣＰＵにより実行される印刷要求後処理の手順を示すフローチャートである。
【図１７】図１６における変更後印刷ジョブ情報表示処理の手順を示すフローチャートである。
【図１８】図３におけるＣＰＵにより実行される印刷実行要求による印刷処理の手順を示すフローチャートである。
【図１９】図３におけるＣＰＵにより実行される、変更元の画像形成装置でのデータ送信処理の手順を示すフローチャートである。
【図２０】印刷要求後における撮像対象となる画像形成装置の一例を示す図である。
【図２１】図２０における撮像領域が表示部に表示された例を示す図である。
【図２２】撮像対象となる画像形成装置の一例を示す図である。
【図２３】図２２における撮像領域が表示部に表示された例を示す図である。
【図２４】図２４（Ａ）は、印刷ジョブ情報のデータフォーマットを示し、図２４（Ｂ）は印刷設定対応情報のデータフォーマットを示す図である。
【発明を実施するための形態】
【００１３】
以下、本発明の実施の形態について図面を参照しながら詳述する。
【００１４】
図１は、本発明の実施の形態に係る画像形成システム１の概略構成を示す図である。
【００１５】
図１において、画像形成システム１は、画像形成装置１０１，１０２、情報端末１００、サーバ１０３、ネットワーク１０４、無線ＬＡＮアクセスポイント１０５、及びネットワーク１０４で構成される。
【００１６】
画像形成装置１０１，１０２、情報端末１００、及びサーバ１０３は、ネットワーク１０４や無線ＬＡＮアクセスポイント１０５により通信可能となっている。
【００１７】
情報端末１００は、ＬＣＤなどのディスプレイと、ＣＣＤなどを用いたカメラ、無線ＬＡＮなどの通信機能を備え、このディスプレイには印刷ジョブのステータス、プレビュー画像、設定画面などが表示される。
【００１８】
画像形成装置１０１，１０２は、情報端末１００からの指示で印刷の実行や、画像形成装置１０１，１０２の状態を示すステータスを送信する。以下の説明で、デバイスという表現が用いられるが、これは本実施の形態では画像形成装置１０１，１０２を示している。なお、一般的には、さらに多くの画像形成装置や、他の電子機器などを対象としてもよい。
【００１９】
サーバ１０３は、画像形成装置１０１，１０２に関する情報を管理し、依頼に応じてその情報を送信するサーバである。
【００２０】
図２は、図１における情報端末１００の概略構成を示す図である。
【００２１】
図２において、ＣＰＵ１１９は、情報端末１００全体を制御する。撮像部１１０（撮像手段）は、ＣＣＤなどの固体撮像素子を用いて被写体を撮像し、被写体を示す撮像画像を取得する。入力部１１１は、表示部１１２と一体化したタッチパネルや、物理的なボタンなど、ユーザによる操作入力を受け付ける。
【００２２】
表示部１１２（表示手段）は、撮像部１１０で撮像された撮像画像や、画像形成装置１０１，１０２からの情報を表示する。記憶部１１３には、画像や様々な情報、処理に必要な一時情報が記憶される。
【００２３】
処理能力判定部１１４は、印刷ジョブの設定と画像形成装置１０１，１０２で処理可能な設定を比較する。画像解析部１１５は、撮像画像を解析する。この画像解析部１１５は、画像形成装置１０１，１０２に描かれた識別マーカにより判別することが可能である。この識別マーカについては後に説明する。
【００２４】
画像合成部１１６は、撮像部１１０で撮像された画像と、様々な情報を１つの画像に合成する画像合成部である。無線インタフェース１１７は、ネットワーク１０４に接続された画像形成装置１０１，１０２やサーバ１０３に無線ＬＡＮアクセスポイント１０５を介してアクセスするためのインタフェースである。
【００２５】
移動検知部１１８は、情報端末１００がユーザによって移動させられたとき、または向きを変えられたときに、ジャイロセンサなどによって移動量や方向を検知する。
【００２６】
図３は、図１における画像形成装置１０１，１０２の概略構成を示す図である。
【００２７】
図３において、ＣＰＵ１２８は、画像形成装置全体を制御する。ネットワークインタフェース１２０は、ネットワーク１０４を介して、情報端末１００、他の画像形成装置などとアクセスするためのインタフェースである。
【００２８】
受信部１２１は、ネットワークインタフェース１２０を介して取得した情報を記憶部１２５に記憶する。
【００２９】
ＰＤＬ処理部１２２は、受信部１２１で記憶部１２５に記憶されたＰＤＬ（Page Description Language）データを処理することで作成された中間データを記憶部１２５に記憶する。
【００３０】
画像生成部１２３は、ＰＤＬ処理部１２２で作成された中間データを処理することで画像データに変換する。送信部１２４は、情報端末１００や他の画像形成装置からの要求に応じて、ステータス、データなどをネットワークインタフェース１２０を介して送信する。
【００３１】
記憶部１２５には、ＰＤＬデータや画像データ、外部からの情報や処理に使用される一時情報が記憶される。プリント制御部１２６は、ＰＤＬデータの処理やプリントエンジン１２７への出力の制御、印刷ジョブの処理状況を管理する。
【００３２】
プリントエンジン１２７は、画像生成部１２３で生成された画像データをプリント制御部１２６の制御に従い用紙に印刷を行う。
【００３３】
なお、画像形成装置１０１，１０２は、一方の画像形成装置で処理しているＰＤＬデータや画像データを取得し、プリントエンジン１２７に出力することが可能である。
【００３４】
図４は、図２におけるＣＰＵ１１９により実行される特定処理の手順を示すフローチャートである。
【００３５】
図４において、撮像画像を取得し（ステップＳ１００１）、撮像画像に識別マーカがあるか否か画像解析部１１５により判別する（ステップＳ１００２）。
【００３６】
ステップＳ１００２の判別の結果、撮像画像に識別マーカがないときは（ステップＳ１００２でＮＯ）、ステップＳ１００１に戻る。
【００３７】
一方、ステップＳ１００２の判別の結果、撮像画像に識別マーカがあるときは（ステップＳ１００２でＹＥＳ）、識別マーカにより後述するマーカＩＤ（識別情報）を取得し、それを用いてサーバ１０３にデバイス情報の送信を要求する（ステップＳ１００３）。このステップＳ１００３は、撮像部１１０により撮像される画像形成装置を特定するための識別情報を取得する第１の取得手段に対応する。また、ステップＳ１００３では、撮像部１１０により撮像された識別マーカによってマーカＩＤを取得する。
【００３８】
サーバ１０３からデバイス情報を受信すると（ステップＳ１００４）、受信したデバイス情報を記憶部１１３に記憶する（ステップＳ１００５）。受信したデバイス情報に含まれる画像形成装置のＩＰアドレス宛に、画像形成装置の使用状況を取得する（ステップＳ１００６）。この使用状況とは、画像形成装置が現在印刷をしているか否かを示すものである。
【００３９】
次いで、画像合成部１１６により撮像画像と使用状況を示す画像とを合成させ（ステップＳ１００７）、合成することで得られた合成画像を表示部１１２に表示する（ステップＳ１００８）。
【００４０】
そして、移動検知部１１８により、情報端末１００の移動または向きの変更が検知されたか否か判別する（ステップＳ１００９）。ステップＳ１００９の判別の結果、情報端末１００の移動または向きの変更が検知されたときは（ステップＳ１００９でＹＥＳ）、ステップＳ１００１に戻る。なお、ユーザが情報端末１００を手で持っている場合、情報端末１００が完全に静止することはほとんどないと考えられる。従って、所定の閾値以上の移動または向きの変更が検知された場合に、ステップＳ１００９でＹＥＳと判定するようにしても良い。
【００４１】
一方、ステップＳ１００９の判別の結果、情報端末１００の移動または向きの変更が検知されなかったときは（ステップＳ１００９でＮＯ）、撮像終了か否か判別する（ステップＳ１０１０）。
【００４２】
ステップＳ１０１０の判別の結果、撮像終了ではないときは（ステップＳ１０１０でＮＯ）、ステップＳ１００９に戻る。撮像終了のときは（ステップＳ１０１０でＹＥＳ）、本処理を終了する。
【００４３】
図５は、図１におけるサーバ１０３により実行されるデバイス情報送信処理の手順を示すフローチャートである。
【００４４】
図５において、デバイス情報送信要求を受信すると（ステップＳ１１０１でＹＥＳ）、デバイス情報送信要求に含まれるマーカＩＤと一致するデバイス情報を、デバイスリストから検索する（ステップＳ１１０２）。このデバイスリストについては後述する。
【００４５】
ステップＳ１１０２の検索が完了すると、マーカＩＤと一致する画像形成装置のデバイス情報を送信し（ステップＳ１１０３）、本処理を終了する。
【００４６】
図６は、図１における画像形成装置１０１，１０２に描かれた識別マーカ２１０を示す図である。
【００４７】
図６に示される識別マーカ２１０は、２次元コードとなっているが、識別可能なものであれば２次元コードに限らない。また、この識別マーカ２１０は、マーカＩＤを示している。このように、複数の画像形成装置ごとに識別情報を示す識別画像が描かれているので、画像形成装置には識別画像が付加されている。
【００４８】
図７は、図２における表示部１１２に表示された合成画像例を示す図である。
【００４９】
図７において、表示部１１２には、画像形成装置とその使用状況２０３が示されている。この合成画像には、当該画像形成装置が使用されていないことを示す「画像形成装置未使用」が使用状況２０３により示されている。
【００５０】
図８は、図５，６の処理において用いられたデータフォーマットを示す図である。
【００５１】
図８（Ａ）は、デバイス情報送信要求のフォーマットを示し、同図に示されるようにマーカＩＤで構成される。このように、本実施の形態では、撮像部１１０により撮像された画像形成装置が現在印刷をしているか否かを示す使用状況を表示部１１２に表示する。
【００５２】
図８（Ｂ）は、デバイス情報のフォーマットを示し、同図に示されるようにデバイス名、及びそのデバイスのＩＰアドレスで構成される。
【００５３】
図８（Ｃ）は、デバイスリストのフォーマットを示し、同図に示されるように、マーカＩＤ、デバイス名、及びＩＰアドレスで構成される。図５のデバイス情報送信処理で説明したように、マーカＩＤからデバイス名、及びＩＰアドレスを検索できるようになっている。
【００５４】
図９は、図２におけるＣＰＵ１１９により実行される印刷設定処理の手順を示すフローチャートである。
【００５５】
図９において、ユーザにより印刷操作が開始されると（ステップＳ１２０１でＹＥＳ）、記憶部１１３に記憶されたデバイス情報を読み込む（ステップＳ１２０２）。次いで、デバイス情報より画像形成装置のデバイス名を参照し、印刷設定ＵＩ（印刷設定画面）を表示する（ステップＳ１２０３）。ここで表示される印刷設定ＵＩは、情報端末１００が撮像している画像形成装置に対応する印刷設定ＵＩである。この印刷設定ＵＩは情報端末１００の記憶部１１３に予め記憶されていても良いし、サーバ１０３から取得するようにしても良い。
【００５６】
次いで、印刷設定が変更されたか否か判別する（ステップＳ１２０４）。ここで、印刷設定とは、用紙サイズ、ページレイアウト、印刷方法、排紙方法、排紙先などの設定である。
【００５７】
ステップＳ１２０４の判別の結果、印刷設定が変更されたときは（ステップＳ１２０４でＹＥＳ）、記憶部１１３に記憶されている印刷設定情報を変更する（ステップＳ１２１０）。
【００５８】
次いで、記憶部１１３に記憶されたデバイス情報を読み込む（ステップＳ１２１１）。そして、読み込んだデバイス情報のデバイス名と、ステップＳ１２０２で読み込んだデバイス情報のデバイス名とを比較する。
【００５９】
比較した結果、デバイスが変更されたか否か判別する（ステップＳ１２１２）。ステップＳ１２１２の判別の結果、デバイスが変更されていないときは（ステップＳ１２１２でＮＯ）、ステップＳ１２０４に戻る。なお、印刷操作が開始された後、つまり図９のフローチャートが開始された後であっても、撮像されるデバイスが変更されると、図４のステップＳ１００５で変更後のデバイスのデバイス情報が記憶部１１３に記憶される。従って、印刷操作が開始された後に撮像されるデバイスが変更された場合であっても、ステップＳ１２１２でＹＥＳと判定されることになる。
【００６０】
一方、ステップＳ１２１２の判別の結果、デバイスが変更されたときは（ステップＳ１２１２でＹＥＳ）、デバイスから印刷設定対応情報を取得する（ステップＳ１２１４）。印刷設定対応情報は、デバイス（画像形成装置１０１、画像形成装置１０２）が対応可能な印刷設定を示す情報である。
【００６１】
次いで、印刷設定対応情報から、印刷設定情報のうち、対応していない印刷設定があるか否か判別する（ステップＳ１２１４）。
【００６２】
ステップＳ１２１４の判別の結果、対応していない印刷設定があるときは（ステップＳ１２１４でＹＥＳ）、対応していない印刷設定に対応不可画像を表示し（ステップＳ１２１５）、ステップＳ１２０４に戻る。このステップＳ１２１５は、撮像部１１０により他の画像形成装置が撮像された場合に、印刷設定画面で設定可能な複数の印刷設定内容のうち、他の画像形成装置に対応していない印刷設定をユーザに通知するための情報を表示するように表示部１１２を制御する制御手段に対応する。
【００６３】
一方、ステップＳ１２１４の判別の結果、対応していない印刷設定がないときは（ステップＳ１２１４でＮＯ）、ステップＳ１２０４の処理に戻る。
【００６４】
上記ステップＳ１２０４の判別の結果、印刷設定が変更されていないときは（ステップＳ１２０４でＮＯ）、印刷実行か否か判別する（ステップＳ１２２０）。ステップＳ１２２０の判別の結果、印刷実行ではないときは（ステップＳ１２２０でＮＯ）、ステップＳ１２１１に進む。
【００６５】
一方、ステップＳ１２２０の判別の結果、印刷実行のときは（ステップＳ１２２０でＹＥＳ）、印刷要求を印刷データとともにデバイスである画像形成装置に送信して（ステップＳ１２２１）、本処理を終了する。
【００６６】
図９の処理によれば、撮像部１１０により他の画像形成装置が撮像された場合に、以下の処理を行う。すなわち、印刷設定画面で設定可能な複数の印刷設定内容のうち、他の画像形成装置では設定できない印刷設定内容には、当該印刷設定内容の設定できないことを示す設定不可画像を表示部１１２に表示させる。このように、ユーザが撮像対象を他の画像形成装置に変更すると、対象となった画像形成装置で設定不可画像が表示されるので、ユーザが直感的に操作可能となる。
【００６７】
図１０は、図３におけるＣＰＵ１２８により実行される印刷処理の手順を示すフローチャートである。
【００６８】
図１０において、印刷要求を受信すると（ステップＳ１３０１でＹＥＳ）、受信部１２１により記憶部１２５に記憶されたＰＤＬデータをＰＤＬ処理部１２２で中間コードに変換し、記憶部１２５に記憶する（ステップＳ１３０２）。
【００６９】
記憶部１２５に記憶された中間コードを画像生成部１２３でレンダリングし（ステップＳ１３０３）、印刷用の画像データに変換する。そして、生成された画像データをプリント制御部１２６からプリントエンジン１２７に出力し、印刷を行って（ステップＳ１３０４）、本処理を終了する。
【００７０】
図１１は、撮像対象となる画像形成装置１０１，１０２の一例を示す図である。
【００７１】
図１１において、撮像領域３１１は、撮像部１１０により撮像されている領域を示している。
【００７２】
図１２は、図１１における撮像領域３１１が表示部１１２に表示された例を示す図である。
【００７３】
図１２において、ステップＳ１００６で取得した画像形成装置１０１の使用状況３０４、印刷する画像３０５、及び印刷設定パネル（印刷設定ＵＩ）３０６が画像合成部１１６によって撮像画像に合成されて、その合成画像が表示されている。このように印刷設定ＵＩには、画像形成装置での印刷に関する複数の印刷設定内容をユーザにより設定させるための印刷設定画面となっている。
【００７４】
図１３は、撮像対象となる画像形成装置１０１，１０２の一例を示す図である。
【００７５】
図１３において、撮像領域４１１は、撮像部１１０により撮像されている領域を示している。
【００７６】
これは、図１２に示した状態から、情報端末１００の向きを変更することで被写体が画像形成装置１０２となった状態を示している。
【００７７】
図１４は、図１３における撮像領域４１１が表示部１１２に表示された例を示す図である。
【００７８】
図１４において、図１２と同様に、画像４０５、設定パネル４０６、使用状況４０４が示されている。
【００７９】
また、ステップＳ１２１４の判別で対応していない設定情報に対応していないことを示す対応不可情報４０７が表示されている。
【００８０】
図１５は、図９におけるステップＳ１２１４で取得した印刷設定対応情報のデータフォーマットを示す図である。
【００８１】
図１５において、印刷設定対応情報のフォーマットは、用紙サイズ、ページレイアウト、印刷方法、排紙方法、及び排紙先で構成される。
【００８２】
用紙サイズは、定型用紙サイズやユーザ定義サイズなどである。ページレイアウトは、用紙に１または複数ページの印刷を行う指定である。印刷方法は、用紙の片面または両面に印刷を行う指定である。排紙方法は、ページのソートやステイプルなどである。排紙先は、標準トレイやフィニッシャの排紙ビンなどである。
【００８３】
このようにすることで、印刷設定中または、印刷設定後に印刷する画像形成装置を変更したい場合に、ユーザは複雑な操作をすることなく、情報端末１００を別の画像形成装置に向けるだけで、容易に印刷ジョブ操作をすることが可能となる。
【００８４】
図１６は、図２におけるＣＰＵ１１９により実行される印刷要求後処理の手順を示すフローチャートである。
【００８５】
図１６において、ステップＳ１００５で記憶部１１３に記憶されたデバイス情報を読み込む（ステップＳ１４０１）。次いで、デバイス情報に含まれるＩＰアドレスを用いて、ユーザＩＤを画像形成装置に送信し、印刷ジョブ情報を取得する（ステップＳ１４０２）。この印刷ジョブ情報については後述する。
【００８６】
次いで、取得した印刷ジョブ情報から、印刷ジョブがあるか否か判別する（ステップＳ１４０３）。
【００８７】
ステップＳ１４０３の判別の結果、印刷ジョブがないときは（ステップＳ１４０３でＮＯ）、本処理を終了する。
【００８８】
一方、ステップＳ１４０３の判別の結果、印刷ジョブがあるときは（ステップＳ１４０３でＹＥＳ）、その印刷ジョブが印刷待ちか否か判別する（ステップＳ１４０４）。
【００８９】
ステップＳ１４０４の判別の結果、印刷ジョブが印刷待ちではないときは（ステップＳ１４０４でＮＯ）、本処理を終了する。
【００９０】
一方、ステップＳ１４０４の判別の結果、印刷ジョブが印刷待ちのときは（ステップＳ１４０４でＹＥＳ）、印刷ジョブ情報からプレビュー画像を参照し、それを表示部１１２に表示する（ステップＳ１４０５）。
【００９１】
さらに、印刷ジョブ情報の待ち時間を参照することで、表示部１１２にそれを表示する（ステップＳ１４０６）。次いで、記憶部１１３に記憶されたデバイス情報を読み込む（ステップＳ１４０７）。
【００９２】
そして、読み込んだデバイス情報のデバイス名と、ステップＳ１４０１で読み込んだデバイス情報のデバイス名とを比較する。
【００９３】
比較した結果、デバイスが変更されたか否か判別する（ステップＳ１４０８）。ステップＳ１４０８の判別の結果、デバイスが変更されていないときは（ステップＳ１４０８でＮＯ）、ステップＳ１４０２に戻る。
【００９４】
一方、ステップＳ１４０８の判別の結果、デバイスが変更されたときは（ステップＳ１４０８でＹＥＳ）、変更後の画像形成装置の印刷ジョブ情報を表示する変更後印刷ジョブ情報表示処理を行う（ステップＳ１４０８）。
【００９５】
次いで、印刷実行か否か判別する（ステップＳ１４１０）。ステップＳ１４１０の判別の結果、印刷実行ではないときは（ステップＳ１４１０でＮＯ）、記憶部１１３に記憶されたデバイス情報を読み込む（ステップＳ１４２０）。
【００９６】
そして、読み込んだデバイス情報のデバイス名と、ステップＳ１４０７で読み込んだデバイス情報のデバイス名とを比較する。
【００９７】
比較した結果、デバイスが変更されたか否か判別する（ステップＳ１４２１）。ステップＳ１４２１の判別の結果、デバイスが変更されていないときは（ステップＳ１４２１でＮＯ）、ステップＳ１４１０に戻る。
【００９８】
一方、ステップＳ１４２１の判別の結果、デバイスが変更されたときは（ステップＳ１４２１でＹＥＳ）、ステップＳ１４０９に戻る。
【００９９】
上記ステップＳ１４１０の判別の結果、印刷実行のときは（ステップＳ１４１０でＹＥＳ）、印刷実行要求をデバイスである画像形成装置に送信して（ステップＳ１４１１）、本処理を終了する。
【０１００】
図１６によれば、印刷設定画面でユーザにより設定された印刷設定内容で印刷の実行を要求した画像形成装置において、当該画像形成装置に要求された印刷が実行される前であれば、当該印刷を他の画像形成装置で実行させることが可能となっている。
【０１０１】
図１７は、図１６における変更後印刷ジョブ情報表示処理の手順を示すフローチャートである。
【０１０２】
図１７において、変更後の画像形成装置へ印刷ジョブのプレビュー画像処理依頼をする（ステップＳ１５０１）。次いで、プレビュー画像を受信すると（ステップＳ１５０２）、表示部１１２にプレビュー画像を表示する（ステップＳ１５０３）。
【０１０３】
さらに、変更後の画像形成装置から印刷設定対応情報を取得する（ステップＳ１５０４）。このステップＳ１５０４は、変更後の画像形成装置である他の画像形成装置が対応可能な印刷設定を示す印刷設定対応情報を取得する第２の取得手段に対応する。
【０１０４】
次いで、印刷設定対応情報から、印刷設定情報のうち、対応していない印刷設定があるか否か判別する（ステップＳ１５０５）。
【０１０５】
ステップＳ１５０５の判別の結果、対応していない印刷設定があるときは（ステップＳ１５０５でＹＥＳ）、対応していない印刷設定に対応不可画像を表示し（ステップＳ１５０６）、本処理を終了する。
【０１０６】
一方、ステップＳ５０５の判別の結果、対応していない印刷設定がないときは（ステップＳ１５０５でＮＯ）、本処理を終了する。
【０１０７】
図１８は、図３におけるＣＰＵ１２８により実行される印刷実行要求による印刷処理の手順を示すフローチャートである。
【０１０８】
図１８において、印刷実行要求を受信すると（ステップＳ１６０１でＹＥＳ）、印刷実行要求から変更元の画像形成装置の情報を参照し、変更元の画像形成装置へデータ送信依頼を行う（ステップＳ１６０２）。
【０１０９】
変更元の画像形成装置からデータを受信すると（ステップＳ１６０３でＹＥＳ）、受信したデータはＰＤＬデータか否か判別する（ステップＳ１６０４）。
【０１１０】
ステップＳ１６０４の判別の結果、データがＰＤＬデータではないときは（ステップＳ１６０４でＮＯ）、ステップＳ１６０７に進む。ここでは、ＰＤＬデータではないときは、受信データはレンダリング後の画像データとする。
【０１１１】
一方、ステップＳ１６０４の判別の結果、データがＰＤＬデータのときは（ステップＳ１６０４でＹＥＳ）、ＰＤＬデータをＰＤＬ処理部１２２で中間コードに変換し、記憶部１２５に記憶する（ステップＳ１６０５）。
【０１１２】
記憶部１２５に記憶された中間コードを画像生成部１２３でレンダリングし（ステップＳ１６０６）、印刷用の画像データに変換する。そして、生成された画像データ、またはレンダリング後の画像データをプリント制御部１２６からプリントエンジン１２７に出力し、印刷を行って（ステップＳ１６０７）、本処理を終了する。
【０１１３】
図１９は、図３におけるＣＰＵ１２８により実行される、変更元の画像形成装置でのデータ送信処理の手順を示すフローチャートである。
【０１１４】
図１９において、データ送信依頼を受信すると（ステップＳ１７０１でＹＥＳ）、プリント制御部１２６において、送信依頼されたデータがＰＤＬ処理実行前か否か判別する（ステップＳ１７０２）。
【０１１５】
ステップＳ１７０２の判別の結果、ＰＤＬ処理実行前のときは（ステップＳ１７０２でＹＥＳ）、データのフォーマットをＰＤＬに設定する（ステップＳ１７０３）。そして、送信するデータのフォーマットと、ＰＤＬデータとを送信し（ステップＳ１７０４）、本処理を終了する。
【０１１６】
一方、ステップＳ１７０２の判別の結果、ＰＤＬ処理実行前ではないときは（ステップＳ１７０２でＮＯ）、データのフォーマットを画像データに設定する（ステップＳ１７０５）。そして、送信するデータのフォーマットと、画像データとを送信し（ステップＳ１７０６）、本処理を終了する。
【０１１７】
図２０は、印刷要求後における撮像対象となる画像形成装置１０１，１０２の一例を示す図である。
【０１１８】
図２０において、撮像領域５１１は、撮像部１１０により撮像されている領域を示している。
【０１１９】
図２１は、図２０における撮像領域５１１が表示部１１２に表示された例を示す図である。
【０１２０】
図２１において、ステップＳ１４０５で取得したプレビュー画像５０５、ステップＳ１４０６で取得した処理待ち時間を示す使用状況５０４が画像合成部１１６によって撮像画像に合成されて、その合成画像が表示されている。
【０１２１】
図２２は、撮像対象となる画像形成装置１０１，１０２の一例を示す図である。
【０１２２】
図２２において、撮像領域６１１は、撮像部１１０により撮像されている領域を示している。
【０１２３】
これは、図２１に示した状態から、情報端末１００の向きを変更することで被写体が画像形成装置１０２となった状態を示している。
【０１２４】
図２３は、図２２における撮像領域６１１が表示部１１２に表示された例を示す図である。
【０１２５】
図２３において、変更前のプレビュー画像５０５に加え、画像形成装置１０２で処理したときのプレビュー画像６０６が表示される。また、使用状況６０４に示される処理待ち時間は更新され、さらにステップＳ１５０５の判別判定で対応していない設定情報６０７と印刷指示を行う印刷ボタン６０８が表示される。
【０１２６】
図２４（Ａ）は、印刷ジョブ情報のデータフォーマットを示し、図２４（Ｂ）は印刷設定対応情報のデータフォーマットを示す図である。
【０１２７】
図２４（Ａ）において、印刷ジョブ情報のデータフォーマットは、ステータス、ジョブＩＤ、各印刷設定（用紙サイズ、ページレイアウト、印刷方法、排紙方法、排紙先）、プレビュー画像で構成される。
【０１２８】
ステータスは、印刷ジョブの処理待ち時間である。ジョブＩＤは印刷ジョブに割り振られるＩＤである。プレビュー画像は、画像形成装置１０１で印刷ジョブを処理したときの画像データ、または縮小された画像データである。
【０１２９】
図２４（Ｂ）において示される印刷設定対応情報は、デバイスが異なるため、図１５で示した印刷設定対応情報とは異なっている。そして、この印刷設定対応情報のフォーマットは、印刷可能な用紙サイズ、ページレイアウト、印刷方法、排紙方法、排紙先で構成される。
【０１３０】
用紙サイズは、定型用紙サイズやユーザ定義サイズなどである。ページレイアウトは、１枚の用紙に１または複数ページの印刷を行う指定である。印刷方法は、１枚の用紙の片面または両面に印刷を行う指定である。排紙方法は、ページのソートやステイプルなどである。排紙先は、標準トレイやフィニッシャの排紙ビンなどである。本実施の形態での画像形成装置１０２には、フィニッシャを備えておらず、印刷ジョブに指定されたステイプルや排紙ビンへの出力が不可能である。
【０１３１】
このようにすることで、印刷実行要求後、印刷する画像形成装置を変更したい場合に、ユーザは複雑な操作をすることなく、情報端末１００を他の画像形成装置に向けるだけで、容易に印刷の実行を要求することが可能となる。
【０１３２】
このように、本実施の形態によれば、印刷の操作を行う場合、複雑な操作を行うことなく、情報端末のカメラを別の画像形成装置に向けることで、印刷設定中または実行中の印刷ジョブの印刷実行を、容易に別の画像形成装置へ変更可能になる。
【０１３３】
また、設定した通りの結果が得られるかどうか自動判定するとともに、異なる画像形成装置で出力される画像をあらかじめ確認できるため、他の画像形成装置へ変更した場合の印刷ミスを未然に防ぐことが可能となる。
【０１３４】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１３５】
１  画像形成システム
１００  情報端末
１０１，１０２  画像形成装置
１０３  サーバ
１１０  撮像部
１１１  入力部
１１２  表示部
１１３  記憶部
１１４  処理能力判定部
１１５  画像解析部
１１６  画像合成部
１１８  移動検知部
１１９，１２８  ＣＰＵ
１２０  ネットワークインタフェース
１２１  受信部
１２２  ＰＤＬ処理部
１２３  画像生成部
１２４  送信部
１２５  記憶部
１２６  プリント制御部
１２７  プリントエンジン
【図１】
2013254244.tif 000003
【図２】
2013254244.tif 000004
【図３】
2013254244.tif 000005
【図４】
2013254244.tif 000006
【図５】
2013254244.tif 000007
【図６】
2013254244.tif 000008
【図７】
2013254244.tif 000009
【図８】
2013254244.tif 000010
【図９】
2013254244.tif 000011
【図１０】
2013254244.tif 000012
【図１１】
2013254244.tif 000013
【図１２】
2013254244.tif 000014
【図１３】
2013254244.tif 000015
【図１４】
2013254244.tif 000016
【図１５】
2013254244.tif 000017
【図１６】
2013254244.tif 000018
【図１７】
2013254244.tif 000019
【図１８】
2013254244.tif 000020
【図１９】
2013254244.tif 000021
【図２０】
2013254244.tif 000022
【図２１】
2013254244.tif 000023
【図２２】
2013254244.tif 000024
【図２３】
2013254244.tif 000025
【図２４】
2013254244.tif 000026